(57)【要約】      （修正有）【課題】運搬や取引時の取り扱いを便利にする。【解決手段】上板１ａにティッシュ取出口２が設けられた外ケース１と、外ケース１内に取り出し可能に収容され且つティッシュペーパー１２を重ねた状態で収容する内ケース３とを備え、内ケース３は、ティッシュペーパー１２を収容する枠部材と、ティッシュペーパー１２を載せると共に枠部材内で取出口２に向けて移動可能なティッシュトレー５と、ティッシュトレー５を取出口２に向けて付勢する弾性部材６とを有し、外ケース１と枠部材とティッシュトレー５は紙を折り曲げて組み立てられるものであり、組み立ての接続位置にはスリットに突片を挿入することで接着剤を使用せずに係止する係止機構が設けられている。【選択図】図１
0003118596.tif 000002
【実用新案登録請求の範囲】
【請求項１】
上板にティッシュ取出口が設けられた外ケースと、前記外ケース内に取り出し可能に収容され且つティッシュペーパーを重ねた状態で収容する内ケースとを備え、前記内ケースは、前記ティッシュペーパーを収容する枠部材と、前記ティッシュペーパーを載せると共に前記枠部材内で前記取出口に向けて移動可能なティッシュトレーと、前記ティッシュトレーを前記取出口に向けて付勢する弾性部材とを有し、前記外ケースと前記枠部材と前記ティッシュトレーは紙を折り曲げて組み立てられるものであり、前記組み立ての接続位置にはスリットに突片を挿入することで接着剤を使用せずに係止する係止機構が設けられたことを特徴とするティッシュボックス。
【請求項２】
前記弾性部材は輪ゴムであることを特徴とする請求項１記載のティッシュボックス。
【考案の詳細な説明】
【技術分野】
【０００１】
本考案は、ティッシュボックスに関する。更に詳しくは、本考案は、特にポケットティッシュの収容に適したティッシュボックスに関するものである。
【背景技術】
【０００２】
携帯に便利なポケットティッシュを部屋の中で便利に使用するためのものとして、ポケットティッシュを１組ずつ取り出せるように重ねて収容するティッシュボックスがある。従来のティッシュボックスは完成した状態で市販されたり配られていた。つまり、予めボックス状に組み立てられた状態で運搬や取引されていた。
【０００３】
なお、ポケットティッシュを収容し、部屋の中での使い勝手を向上させたティッシュボックスとして、例えば特開２０００−６２８６７号公報に開示されたものがある。
【０００４】
【特許文献１】特開２０００−６２８６７号
【考案の開示】
【考案が解決しようとする課題】
【０００５】
しかしながら、従来のティッシュボックスはボックス状に組み立てられた状態で運搬や取引されていたため、大変嵩張り取り扱いに不便であった。
【０００６】
本発明は、運搬や取引時の取り扱いに便利なティッシュボックスを提供することを目的とする。
【課題を解決するための手段】
【０００７】
かかる目的を達成するために、請求項１記載のティッシュボックスは、上板にティッシュ取出口が設けられた外ケースと、外ケース内に取り出し可能に収容され且つティッシュペーパーを重ねた状態で収容する内ケースとを備え、内ケースは、ティッシュペーパーを収容する枠部材と、ティッシュペーパーを載せると共に枠部材内で取出口に向けて移動可能なティッシュトレーと、ティッシュトレーを取出口に向けて付勢する弾性部材とを有し、外ケースと枠部材とティッシュトレーは紙を折り曲げて組み立てられるものであり、組み立ての接続位置にはスリットに突片を挿入することで接着剤を使用せずに係止する係止機構が設けられたものである。
【０００８】
したがって、ティッシュペーパーは内ケースのティッシュトレーの上に重ねた状態で収容されている。ティッシュトレーは弾性部材によって常に外ケースの上板の取出口に向けて付勢されており、取出口から一番上のティッシュペーパーを摘んで取り出すことができる。ティッシュペーパーが取り出されると、その厚さ分だけティッシュトレーが弾性部材によって動かされる。内ケースは外ケースから取り出し可能になっており、内ケースを取り出すことでティッシュペーパーを補充することができる。外ケース、内ケースの枠部材とティッシュトレーは板紙を折り曲げて組み立てられている。組み立ての接続位置にはスリットに突片を挿入することで係止する係止機構が設けられているので、接着剤を使用せずに止めることができる。外ケースは紙製であり、外側面に印刷を行うことができる。
【０００９】
また、請求項２記載のティッシュボックスのように弾性部材を輪ゴムとしても良い。
【考案の効果】
【００１０】
請求項１記載のティッシュボックスは、上板にティッシュ取出口が設けられた外ケースと、外ケース内に取り出し可能に収容され且つティッシュペーパーを重ねた状態で収容する内ケースとを備え、内ケースは、ティッシュペーパーを収容する枠部材と、ティッシュペーパーを載せると共に枠部材内で取出口に向けて移動可能なティッシュトレーと、ティッシュトレーを取出口に向けて付勢する弾性部材とを有し、外ケースと枠部材とティッシュトレーは紙を折り曲げて組み立てられるものであり、組み立ての接続位置にはスリットに突片を挿入することで接着剤を使用せずに係止する係止機構が設けられているので、ティッシュペーパーを使いやすい状態でコンパクトにまとめて置いておくことができる。このため、ティッシュペーパーの使い勝手が向上する。特に街頭で無料配布されるポケットティッシュは有ると大変便利であるが、使用後に一定の場所に戻されずに使用の度に置き場所が変わることも少なくない。そのため、いざ使おうとしたときにポケットティッシュを探すなど苦労することもある。本考案のティッシュボックスにポケットティッシュを収容しておくことで、使用の度に置き場所が変わるようなことが少なくなり、上記のような苦労がなくなって大変便利である。また、ティッシュトレーは弾性部材によって常に取出口に向けて動かされるので、ティッシュペーパーの残りが少なくなってもその取り出しやすさは変わらない。この点からも大変使い勝手が良くて便利である。
【００１１】
本考案のティッシュボックスは組み立て式であり、組み立て前の平面の状態で搬送したり取引することができる。このため、搬送時や取引時に嵩張らず、大変便利である。しかも、組み立てに接着剤が不要であり、搬送先や取引先で簡単に組み立てることができる。このように組み立て場所を選ばないため、ティッシュボックスを組み立て式にするのに適している。
【００１２】
また、外ケースは紙製であり、その外側面に印刷ができるので広告などの表示が容易であり、宣伝広告・販売促進用のノベルティー商品としての使用に適している。もちろん、本考案のティッシュボックス自体を取引対象となる商品としても良く、その場合には、外ケースに模様等を表示するのが容易であるため、他の商品との差別化が容易であり商品価値を高めるのに都合が良い。
【００１３】
また、請求項２記載のティッシュボックスのように弾性部材を輪ゴムとしても良い。輪ゴムは広く一般に流通しており安価である。このため、ティッシュボックスの製造コストを安くすることができる。また、輪ゴムは軽量であると共に、設置に場所をとらない。このため、ティッシュボックスを小型化、軽量化することができる。
【考案を実施するための最良の形態】
【００１４】
以下、本考案の構成を図面に示す最良の形態に基づいて詳細に説明する。なお、本実施形態では、ティッシュボックスを例えば机に載せて使用する場合について説明する。即ち、取出口２を上にした状態について説明する。
【００１５】
図１〜図５に、本考案のティッシュボックスの実施形態の一例を示す。ティッシュボックスは、上板１ａにティッシュ取出口２が設けられた外ケース１と、外ケース１内に取り出し可能に収容され且つティッシュペーパー１２を重ねた状態で収容する内ケース３とを備え、内ケース３は、ティッシュペーパー１２を収容する枠部材４と、ティッシュペーパー１２を載せると共に枠部材４内で取出口２に向けて移動可能なティッシュトレー５と、ティッシュトレー５を取出口２に向けて付勢する弾性部材６とを有している。
【００１６】
外ケース１は、上板１ａと下板１ｂと大小２組の側板１ｃ，１ｄ、１ｅ，１ｆを備えた中空の箱体で、対向する２組の側板１ｃ，１ｄ、１ｅ，１ｆのうち面積の狭い方の組の側板１ｃ，１ｄが開閉可能な蓋になっている。蓋としての側板１ｃ，１ｄを開けることで、内ケース３の取り出しや収容が可能になる（図１(ｅ)，(ｆ)）。外ケース１の上板１ａにはティッシュ取出口２（以下、単に取出口２という）が設けられている。取出口２は、例えば上板１ａの長手方向に沿って形成された長孔部２ａと、長孔部２ａの中央の両側に設けられた拡張部２ｂより構成されている。
【００１７】
枠部材４は、底板４ａと大小２組の側板４ｃ，４ｄ、４ｅ，４ｆを備えた容器であり、外ケース１の側板１ｃ，１ｄに対向する側板４ｃ，４ｄ、即ち面積の狭い方の組の側板４ｃ，４ｄには孔７が設けられている。側板４ｃ，４ｄの上縁には折り返し板４ｂが設けられており、折り返し板４ｂの取出口２に対向する部位は半円状に除去されている。また、面積が広い方の組の側板１ｅ，１ｆの上縁には切り込み８が２箇所ずつ設けられている。
【００１８】
ティッシュトレー５は、枠部材４の底板４ａとほぼ同じ大きさの板材であり、その両端縁（長さが短い方の縁）には折り返し板５ａが設けられている。ティッシュトレー５の両側縁（長さが長い方の縁）には切り込み１４が２箇所ずつ設けられている。
【００１９】
弾性部材６は、例えば輪ゴムである（図１(ａ)）。ティッシュボックスを組み立てる際、弾性部材６はティッシュトレー５に一旦セットされる（図１(ｂ)）。即ち、ティッシュトレー５の下に弾性部材６を通してその両端部を切り込み１４に引っ掛けておく。そして、枠部材４の中にティッシュトレー５を挿入し、弾性部材６の両端部を切り込み１４から外して枠部材４の切り込み８に掛け替える（図１(ｃ)，(ｄ)）。これにより内ケース３が完成する。
【００２０】
次に、図１では図示を省略しているが、内ケース３にティッシュペーパー１２を充填した後、ティッシュペーパー１２ごと内ケース３を外ケース１内に収納し（図１(ｅ)，(ｆ)）、蓋である側板１ｃを閉めることでティッシュボックスの組み立てが完成する（図１(ｇ)）。なお、図１には、蓋として側板１ｃを開閉する様子を記載しているが、側板１ｄを開閉しても良いことは勿論である。
【００２１】
内ケース３へのティッシュペーパー１２の充填は、ティッシュトレー５の上にティッシュペーパー１２を重ねて載せることで行われる。ティッシュトレー５は弾性部材６によって持ち上げられる方向に付勢されているので、弾性部材６の付勢力に抗してティッシュトレー５を押し下げながらティッシュペーパー１２を重ねて載せる。そして、ティッシュペーパー１２が持ち上がらないように押さえ付けながら内ケース３を外ケース１内に挿入する。本実施形態では、ティッシュペーパー１２として、例えばポケットサイズのティッシュペーパー（いわゆるポケットティッシュ）が使用される。
【００２２】
ティッシュトレー５は弾性部材６によって常に外ケース１の上板１ａの取出口２に向けて付勢されており、取出口２から一番上のティッシュペーパー１２を摘んで取り出すことができる。一番上のティッシュペーパー１２が取り出されると、その厚さ分だけティッシュトレー５が弾性部材６によって持ち上げられる。このため、ティッシュペーパー１２の残りが少なくなってもその取り出しやすさは変わらず、最後の１組まで容易に取り出すことができる。したがって、大変使い勝手が良く、便利である。
【００２３】
ティッシュペーパー１２の補充は簡単である。即ち、側板１ｃ，１ｄを開けて外ケース１の中から内ケース３を取り出すことでティッシュペーパー１２を簡単に補充することができ、補充後に内ケース３を外ケース１内に戻して側板１ｃ，１ｄを閉めれば作業が完了する。内ケース３の枠部材４の側板４ｃ，４ｄには孔７が設けられているので、外ケース１から内ケース３を取り出す場合に、孔７に指を挿入して側板４ｃ，４ｄの内側に引っ掛けて引き出すことができる。このため、外ケース１から内ケース３を取り出す作業は簡単である。
【００２４】
なお、充填するティッシュペーパー（ポケットティッシュ）１２は、例えば包装袋から取り出して中身だけをティッシュトレー５上に載せることが好ましい。ただし、包装袋に入れた状態のものをそのままティッシュトレー５上に載せて使用することも可能である。
【００２５】
本考案のティッシュボックスを使用することで、ティッシュペーパー１２を使いやすい状態で例えば机上にコンパクトに置いておくことができる。このため、ポケットティッシュの使い勝手が向上する。特に街頭で無料配布されるポケットティッシュは有ると大変便利であるが、使用後に一定の場所に戻されずに使用の度に置き場所が変わることも少なくない。そのため、いざ使おうとしたときにポケットティッシュを探すなど苦労することもある。本考案のティッシュボックスにポケットティッシュを収容しておくことで、使用の度に置き場所が変わるようなことが少なくなり、使用時にポケットティッシュを探す等の苦労がなくなり、大変便利である。このとき、ティッシュボックスの底面を両面テープ等で机上に止めておくことでティッシュボックスの移動を防止できるので、より一層便利である。
【００２６】
このティッシュボックスの外ケース１と枠部材４とティッシュトレー５は、紙を折り曲げて組み立てられている。そして、組み立ての接続位置９にはスリット１０ａに突片１０ｂを挿入することで接着剤を使用せずに係止する係止機構が設けられている。なお、図３，図４では、接続するもの同士の接続位置９について、９ａ，９ａ、９ｂ，９ｂ、…との同一の符号を付してある。
【００２７】
組み立て前の外ケース１を図３に示す。図中、二点鎖線で示す位置を山側折り（外側が凸になる折り曲げ）することで、外ケース１を組み立てることができる。このとき、側板１ｅ，１ｆに設けられている折り曲げ板１１を側板１ｃ，１ｄの内側に折り込み、側板１ｃ，１ｄに設けられている折り曲げ板１１を下板１ｂの内側に折り込み、下板１ｂに設けられている折り曲げ板１１を側板１ｅの内側に折り込むようにする。
【００２８】
係止機構は、側板１ｅと下板１ｂの接続位置９ａに設けられている。即ち、側板１ｅに設けられている突片１０ｂを下板１ｂに設けられているスリット１０ａに挿入することで、側板１ｅと下板１ｂとが係止され、外ケース１が組み立てられる。このように、接着剤を使用せずに外ケース１を組み立てることができる。
【００２９】
組み立て前の枠部材４を図４に示す。図中、二点鎖線で示す位置を山側折りすることで、枠部材４を組み立てることができる。このとき、側板４ｃ，４ｄ，４ｅに設けられている折り曲げ板１１を底板４ａの内側に折り込み、側板４ｆに設けられている折り曲げ板１１を側板４ｄの内側に折り込むようにする。
【００３０】
係止機構は、底板４ａと側板４ｃ，４ｄ、４ｅの接続位置９ｂ，９ｃ，９ｄ、および側板４ｄと側板４ｆの接続位置９ｅにそれぞれ設けられている。即ち、底板４ａに設けられている突片１０ｂを側板４ｃ，４ｄ、４ｅに設けられているスリット１０ａに挿入することで、底板４ａと側板４ｃ，４ｄ、４ｅとが係止され、側板４ｄに設けられている突片１０ｂを側板４ｆに設けられているスリット１０ａに挿入することで、側板４ｄと側板４ｆとが係止され、枠部材４が組み立てられる。このように、接着剤を使用せずに枠部材４を組み立てることができる。
【００３１】
折り曲げ前のティッシュトレー５を図５に示す。図中、二点鎖線で示す位置を谷側折り（外側が凹になる折り曲げ）することで、ティッシュトレー５を完成することができる。なお、図３〜図５において、符号１３は折り曲げ位置に設けられたスリットである。
【００３２】
以上のように、外ケース１、枠部材４、ティッシュトレー５は板紙を折り曲げ、接着剤を使用せずに組み立てることができるので、簡単に組み立てることができる。また、組み立てた外ケース１、枠部材４、ティッシュトレー５を１つのティッシュボックスに組み付けることも簡単である。このため、組み立て前の平面の状態で搬送したり取引することができ、嵩張らないので取り扱い易く大変便利である。
【００３３】
また、外ケース１は紙製であり、その外側面に印刷ができるので広告などの表示が容易である。このため、本考案のティッシュボックスは、宣伝広告・販売促進用のノベルティー商品としての使用に適している。もちろん、本考案のティッシュボックス自体を取引対象となる商品としても良く、その場合には、外ケース１に模様等を表示するのが容易であるため、他の商品との差別化が容易であり商品価値を高めるのに都合が良い。
【００３４】
また、ティッシュボックスは外ケース１と内ケース３の二重構造であり、接続位置９の接続に接着剤を使用していなくてもティッシュボックスとして十分な強度を確保することができる。
【００３５】
さらに、取出口２には拡張部２ｂが設けられているので、取出口２の形状がティッシュペーパー１２を摘み易いものとなり、使い勝手に優れている。
【００３６】
なお、上述の形態は本考案の好適な形態の一例ではあるがこれに限定されるものではなく本考案の要旨を逸脱しない範囲において種々変形実施可能である。例えば、上述の説明では、ポケットティッシュ用のティッシュボックスを例にしていたが、通常の大きさのティッシュペーパー用のティッシュボックスに適用しても良い。
【００３７】
また、上述の説明では、ティッシュボックスを机上に置いて使用する場合、即ち上向き（取出口２を上にする向き）で使用する場合について説明したが、必ずしも上向きに限るものではなく、下向き、横向き等で使用しても良い。
【００３８】
また、上述の説明では弾性部材６は輪ゴムであったが、輪ゴム以外のものを使用しても良い。例えば、ゴムバンド、コイルスプリング、板ばね等を使用しても良い。また、弾性部材６の材料としては、ゴムの他に、プラスチック、金属等でも良い。さらに、例えば紙等を折り曲げたり湾曲させることで弾性力を発揮するスプリング等でも良い。
【図面の簡単な説明】
【００３９】
【図１】本発明のティッシュボックスの実施形態の一例を示し、（ａ）は弾性部材とティッシュトレーのセット前の斜視図、（ｂ）は弾性部材をティッシュトレーにセットした状態の斜視図、（ｃ）は枠部材の斜視図、（ｄ）は弾性部材とティッシュトレーを枠部材にセットして完成した内ケースの斜視図、（ｅ）は外ケースの斜視図、（ｆ）は外ケースに内ケースを収容した状態の斜視図、（ｇ）は完成したティッシュボックスの斜視図である。
【図２】本発明のティッシュボックスの縦断面図である。
【図３】外ケースの展開図である。
【図４】枠部材の展開図である。
【図５】ティッシュトレーの展開図である。
【符号の説明】
【００４０】
１  外ケース
１ａ  上板
２  ティッシュ取出口
３  内ケース
４  枠部材
５  ティッシュトレー
６  弾性部材
９  組み立ての接続位置
１０ａ  スリット（係止機構）
１０ｂ  突片（係止機構）
１２  ティッシュペーパー
【図１】
0003118596.tif 000003
【図２】
0003118596.tif 000004
【図３】
0003118596.tif 000005
【図４】
0003118596.tif 000006
【図５】
0003118596.tif 000007